(57)【要約】  【課題】  歩道側や車道側に対する突出量を現場に合わせて調整した状態で機器の装柱を行える装置を提供する。  【解決手段】  電柱Ｄの周側に突設した機器支持金具１の受支部片１ｂの上端に、機器Ｂの上部側に突設した掛止金具４の一対の掛止部片７，７をそれぞれ掛止する、一対三組の掛止切欠８，８、８Ａ，８Ａ、８Ｂ，８Ｂを横方向に並設する。前記機器Ｂの下部に金具基枠２ａを取付けて先端の弧状の部片２ａ´を電柱の前記周側に当てる補助金具２の取付け部片２ｂには前記各組の掛止切欠８，８、８Ａ，８Ａ、８Ｂ，８Ｂに対応する組付孔１０，１０Ａ，１０Ｂをそれぞれ設ける。そして、所望の該組付孔を通じて螺合する、前記基部片の締付け用ボルト５のねじ孔を機器Ｂの前記下部に設ける。【選択図】    図３
2008199813.tif 000002
【特許請求の範囲】
【請求項１】
電柱の周側に突設した機器支持金具の受支部片の上端に、機器の上部側に突設した掛止金具の一対の掛止部片をそれぞれ掛止する、一対一組の掛止切欠を複数組横方向に並設し、前記機器の下部に取付け部片を取付けて先端の弧状の部片を電柱の前記周側に当てる補助金具の前記取付け部片には前記各組の掛止切欠に対応する組付孔をそれぞれ設け、所望の該組付孔を通じて螺合する、前記基部片の締付け用ボルトのねじ孔を機器の前記下部に設けた、信号灯器の制御函等機器の装柱装置。
【発明の詳細な説明】
【技術分野】
【０００１】
本発明は、信号灯器の制御器等の機器の装柱装置に係り、概し、機器を電柱の低所において装置する際に適用するものである。
【背景技術】
【０００２】
機器に突設したボルトを締付け金具に貫通させ、金具より突出した前記ボルト先端にナットを螺合、締付けることによって下側支持金具を機器に取付けておき、一方、上側支持金具を電柱に締付け、該上側支持金具に設けた受止片に前記機器に取付けた掛止金具を掛止した後に前記下側支持金具を電柱周面に当てバンド体を用いて該下側支持金具を電柱に締め付けて機器を装柱するようにした構造のものがある（例えば、特許文献１）。
【０００３】
【特許文献１】実公昭６２−４５４４６号公報
【発明の開示】
【発明が解決しようとする課題】
【０００４】
前記従来例は、電柱側の受止片に機器側の掛止片に掛止することにより、機器の電柱に対する取付け位置が決まり、しかも、係止片と受止片の組付け個所は単一な構成を採るものであるから、機器を装柱状態にした後に、当該機器が歩道側や車道側に突出する当不適当な位置にあることが判別されると、装柱作業を当初よりやり直す等無駄な作業を必要とする。
【０００５】
本発明は、斯様な従来例の欠点に着目し、歩道側や車道側に対する突出量を現場に合わせて調整した状態で機器の装柱を行える装置を提供することを目的として創案したものである。
【課題を解決するための手段】
【０００６】
電柱の周側に突設した機器支持金具の受支部片の上端に、機器の上部側に突設した掛止金具の一対の掛止部片をそれぞれ掛止する、一対一組の掛止切欠を複数組横方向に並設し、前記機器の下部に締付け部片を取付けて先端の弧状の部片を電柱の前記周側に当てる補助金具の前記締付け部片には前記各組の掛止切欠に対応する締付け孔をそれぞれ設け、所望の該締付け孔を通じて螺合する、前記基部片の締付け用ボルトのねじ孔を機器の前記下部に設けた、構成としたものである。
【発明の効果】
【０００７】
本発明によれば、信号灯器の制御函等の機器を装柱することができることは勿論、装柱時に現場の状況に合わせて位置調整して装柱でき、しかも、電柱の接（切）線方向に位置調整して装柱できるから、外観上良好な装柱状態を得ることができる。
【実施例】
【０００８】
図面は、本発明に係る信号灯器の制御函等機器の装柱装置の一実施例を示し、図１は正面図、図２は図１の平面図、図３は柱を省略して示した図１のｘ−ｘ線断面図、図４は機器受金具と掛止金具の関係を示す拡大平面図、図５は図４の正面図、図６は機器受金具の斜視図、図７は補助金具の斜視図、図８は掛止金具の斜視図である。
【０００９】
実施例のものは、バンド３を用いて電柱Ｄに締付けて電柱Ｄより突設するように上側の支持金具１と下側の補助金具２を配し、支持金具１に機器Ｂに取り付けた掛止金具４を掛止し、補助金具２を機器Ｂに締付けボルト５で締付けるようにしたものである。
【００１０】
前記支持金具１は、金属板を平面視略方形状に折り曲げて構成した金具基枠１ａの側部片１ａ´´の先端を平板状の受支部片１ｂに熔接して構成し、両端が前記側部片１ａ´´に連続する、金具基枠１ａの中央部片１ａ´を電柱Ｄに適合する弧状にし、二又に分岐する先端側を受支部片１ｂに前記の通り熔接した各側部片１ａ´´，１ａ´´の前記中央部片１ａ´側の基部には、前記バンド３を挿通する挿通口６，６´を設け、一方の挿通口６は側部片１ａ´´全体を二又分岐状にして窓口形状にして構成して工具の挿入窓口を兼用させる一方、金具基枠１ａと共に支持金具１を構成する前記受支部片１ｂは、両端を折り曲げ状にして補強され、上端に前記掛止金具４に設けた一対の掛止部片７，７を掛止する一対三組の掛止切欠８，８、８Ａ，８Ａ、８Ｂ，８Ｂを横方向に並べて設けたものである。
【００１１】
前記補助金具２は、支持金具１と同様に金属板を平面視略方形状に折り曲げて構成した金具基枠２ａの側部片２ａ´´の先端を平板状の締付け部片２ｂに熔接して構成し、両端が前記側部片２ａ´´に連続する、金具基枠２ａの中央部片２ａ´を電柱Ｄに適合する弧状にし、二又に分岐する先端側を締付け部片２ｂに前記の通り熔接した各側部片２ａ´´，２ａ´´の前記中央部片２ａ´側の基部には、前記バンド片３を挿通する挿通口９，９´を設け、一方の挿通口９は該側部片２ａ´´全体を二又分岐状にして前記締付け部片２ｂとで形つくる窓口形状と成して工具の挿入用窓を兼用させる一方、金具基枠２ａと共に補助金具２を構成する前記締付け部片２ｂの上下両端部には前記締付けボルト５を貫通する締付け孔１０，１０Ａ，１０Ｂを前記一対一組の掛止切欠８，８、８Ａ，８Ａ、８Ｂ，８Ｂに対応させて並設してある。
【００１２】
なお、各締付け孔１０，１０Ａ，１０Ｂが互いに連通させてあるのは、加工上の関係である。
【００１３】
また、前記掛止金具４は、前記各組の一対の掛止切欠８，８又は８Ａ，８Ａ又は８Ｂ，８Ｂ間の離開間隔と略同幅の縦長の基板４ａの上端両側に前記各組の一対の掛止切欠８，８、８Ａ，８Ａ、８Ｂ，８Ｂのいずれか一対の掛止切欠８，８又は８Ａ，８Ａ又は８Ｂ，８Ｂに掛止する掛止部片７，７を折り曲げ状にして突設し、基板４ａの上下両側には機器Ｂに締付ける締付けボルト１１貫通用の透孔１２を設けて構成したものである。
【００１４】
しかして、機器Ｂの上部側の所定の位置に設けたねじ孔に基板４ａの透孔１２を通じて締付けボルト１１を螺合、締付けて、掛止金具４を機器Ｂに取り付け、また、機器Ｂの下部側の所定位置に設けたねじ孔に現場に合わせて選択した締付け孔１０，１０Ａ，１０Ｂ中の一つのものに貫通させた締付けボルト５を螺合、締付けて補助金具２を締付け部片２ｂにおいて取付けておき、一方、電柱Ｄ側に挿通口９，９´を通じて組合わせたバンド３を電柱Ｄに締付けて支持金具１を金具基枠１ａの中央部片１ａ´において電柱Ｄに取付け、この支持金具１の受支部片１ｂに設けた掛止切欠８，８Ａ，８Ｂから、補助金具２を機器Ｂに締付けボルト１１を用いて取付ける際に現場の状況に対応させて選択した締付け孔１０，１０Ａ，１０Ｂ中の一つのものに対応する一対のもの８，８又は８Ａ，８Ａ又は８Ｂ，８Ｂを選択し、機器Ｂに突設した前記掛止金具４の掛止部片７，７を掛止させ、次いで、補助金具２の挿通口９，９´、バンド３を通して電柱Ｄに締付けて機器Ｂの装柱作業を終えるのである。
【００１５】
この装柱作業中、受支部片１ｂの前面１ｂ´が歩道に対して、例えば直交する位置に配するようにして支持金具１をバンド３を用いて装柱し、電柱Ｄからの歩道側又は車道側に対する機器Ｂの突出量を見計らって、３組の掛止切欠８，８、８Ａ，８Ａ、８Ｂ，８Ｂより一組のものを選択し、かつ、該一組のものに対応する締付け孔１０，１０Ａ，１０Ｂ中から選んだ一つのものに締付けボルト５を貫通させ、その先端をねじ孔に螺合して機器Ｂに補助金具２を締付けるようにするのである。
【００１６】
実施例の場合は、例えば、図５において一組の掛止切欠８，８（組付け孔１０が対応）が車道側に偏した位置にあるとしたときは、他の一組の掛止切欠８Ｂ，８Ｂ（組付け孔１０Ｂが対応）は歩道側に偏して位置することになり、これらの間に介在するもう一組の掛止切欠８Ａ，８Ａ（組付け孔１０Ａが対応）は、他の組の掛止組８，８と８Ｂ，８Ｂとの間、相対的には前記歩道側と車道側の中間に位置するように配せられることになるが、実施例の態様に限定する必要はない。
【００１７】
いずれにしても、現場において歩道や道路等によって基準とした方向に対して直交する方向に位置調整を行って機器Ｂの装柱を行うことができるのである。
【図面の簡単な説明】
【００１８】
【図１】正面図。
【図２】図１の平面図。
【図３】柱を省略して示した図１のｘ−ｘ線断面図。
【図４】機器受金具と掛止金具の関係を示す拡大平面図。
【図５】図４の正面図。
【図６】機器受金具の斜視図。
【図７】補助金具の斜視図。
【図８】掛止金具の斜視図。
【符号の説明】
【００１９】
１                        支持金具
２                        補助金具
２ａ                      金具基枠
２ｂ                      取付け部片
２ａ´                    中央部片
４                        掛止金具
５                        締付けボルト
７                        掛止部片
８，８Ａ，８Ｂ            掛止切欠
１０，１０Ａ，１０Ｂ      組付け孔
【図１】
2008199813.tif 000003
【図２】
2008199813.tif 000004
【図３】
2008199813.tif 000005
【図４】
2008199813.tif 000006
【図５】
2008199813.tif 000007
【図６】
2008199813.tif 000008
【図７】
2008199813.tif 000009
【図８】
2008199813.tif 000010